(57)【要約】【課題】複数の縦葺き材同士が重ねられて接続される構造において、上側に重ねられた縦葺き材の水下側の端部が風等により浮き上がってしまうのを防ぐことができる金属縦葺き材の接続構造を提供する。【解決手段】第１の縦葺き材２１と、この第１の縦葺き材２１の水上側端部に上方から重ねて接続された第２の縦葺き材２２と、前記第１の縦葺き材２１と前記第２の縦葺き材２２との接続部４に介在する固定板３とを備える。固定板３は、屋根下地１に固定される下地側固定部３５と、第２の縦葺き材２２の水下側の端部を固定する屋根固定部３７とを有している。【選択図】図１
2015214865.tif 000002
【特許請求の範囲】
【請求項１】
金属製の第１の縦葺き材と、
この第１の縦葺き材の水上側端部に上方から重ねて接続された金属製の第２の縦葺き材と、
前記第１の縦葺き材と前記第２の縦葺き材との重ねられた接続部に介在する固定板と
を備え、
前記固定板は、
屋根下地に固定される下地側固定部と、
前記第２の縦葺き材の水下側の端部を固定する屋根固定部と
を有している
ことを特徴とする金属縦葺き材の接続構造。
【請求項２】
前記固定板は、前記第１の縦葺き材の水上側の端部を上から押さえている
ことを特徴とする請求項１記載の金属縦葺き材の接続構造。
【請求項３】
前記第１の縦葺き材および前記第２の縦葺き材は、左右方向に凹部と凸部とが繰り返し形成された凹凸屋根材であり、
前記固定板は前記凸部に対応する箇所に配置されており、
前記凸部の上面には、前記固定板を収容する収容凹所が設けられている
ことを特徴とする請求項１または請求項２に記載の金属縦葺き材の接続構造。
【発明の詳細な説明】
【技術分野】
【０００１】
本発明は、金属縦葺き材の接続構造に関する。
【背景技術】
【０００２】
特許文献１には、従来の金属縦葺き材の接続構造が開示されている。この特許文献１記載の縦葺き外装材の接続構造は、屋根勾配方向に複数の縦葺き外装材が連結される。この接続構造は、縦葺き外装材の水上側の端部に、水上側の縦葺き外装材の水下側の端部を上方から重ねて接続される。
【先行技術文献】
【特許文献】
【０００３】
【特許文献１】特開平９−１２５６２１号公報
【発明の概要】
【発明が解決しようとする課題】
【０００４】
ところでこの特許文献１記載の縦葺き外装材の接続構造は、水下側の縦葺き外装材の水上側の端部と水上側の縦葺き外装材の水下側の端部とが、上下に重ねられて接続されており、止水性が高い。
【０００５】
しかしながら、この水上側の縦葺き外装材の水下側の端部は、自由端となっているため、屋根面に沿って吹く風により負圧を受けたり、重ね部分の間に風が入り込んだりすると、浮き上がってしまうという問題がある。
【０００６】
本発明は、上記事情に鑑みてなされたものであり、その目的とするところは、複数の縦葺き材同士が重ねられて接続される構造において、上側に重ねられた縦葺き材の水下側の端部が風等により浮き上がってしまうのを防ぐことができる金属縦葺き材の接続構造を提供することにある。
【課題を解決するための手段】
【０００７】
本発明の金属縦葺き材の接続構造は、金属製の第１の縦葺き材と、この第１の縦葺き材の水上側端部に上方から重ねて接続された金属製の第２の縦葺き材と、前記第１の縦葺き材と前記第２の縦葺き材との重ねられた接続部に介在する固定板とを備え、前記固定板は、屋根下地に固定される下地側固定部と、前記第２の縦葺き材の水下側の端部を固定する屋根固定部とを有していることを特徴とする。
【発明の効果】
【０００８】
本発明の金属縦葺き材の接続構造によれば、複数の縦葺き材同士が重ねられて接続される構造において、上側に重ねられた縦葺き材の水下側の端部が風等により浮き上がってしまうのを防ぐことができる。
【図面の簡単な説明】
【０００９】
【図１】本実施形態の金属縦葺き材の接続構造の分解斜視図である。
【図２】本実施形態の金属縦葺き材の接続構造の断面図である。
【図３】本実施形態の第１の縦葺き材に固定板を取り付ける際の斜視図である。
【図４】本実施形態の第１の縦葺き材に第２の縦葺き材が接続された状態の斜視図である。
【図５】本実施形態の縦葺き材の幅方向の両側に吊子を設置した状態の斜視図である。
【図６】本実施形態の縦葺き材の幅方向の両側にキャップ部材を設置した状態の斜視図である。
【発明を実施するための形態】
【００１０】
以下、本発明の実施形態について添付図面に基づいて説明する。
【００１１】
本実施形態の金属縦葺き材の接続構造（以下、本接続構造という）には、図１に示すような凹凸屋根材２０が使用される。本接続構造は住宅家屋の屋根に適用される。屋根は、例えば、片流れ屋根により構成される。屋根は、棟と軒とを有している。棟は、屋根の最も高い箇所である。また、軒は、屋根において外壁面から突出した箇所であり、屋根の最も低い箇所である。屋根は、軒棟方向に屋根勾配を有している。
【００１２】
以下、軒棟方向に平行な方向を屋根勾配方向として定義し、屋根勾配方向のうち棟から軒に向かう方向を流れ方向として定義する。また、屋根における軒側を水下側とし、屋根における棟側を水上側として定義する。また、屋根勾配方向に直角な水平方向を軒方向として定義する。
【００１３】
屋根は、屋根下地１と、縦葺き材２と、固定板３とを備えている。屋根下地１は、縦葺き材２の下地となる。屋根下地１は、野地板１１・垂木（図示せず）・母屋（図示せず）等により構成される。屋根下地１の上面は、棟から軒に向かって（つまり、流れ方向に）下り傾斜している。
【００１４】
縦葺き材２は、金属製の屋根材であり、屋根下地１の上面に載せるようにして取り付けられる。縦葺き材２は、上述のように、凹部２３と凸部２４とが軒方向に繰り返されるよう連続して形成された凹凸屋根材２０により構成される。凹部２３は、屋根勾配方向に長さを有し、軒方向に幅を有している。また、凸部２４も、屋根勾配方向に長さを有し、軒方向に幅を有している。縦葺き材２は、金属板をプレス機やロール成型機等により曲げ加工することで形成されている。
【００１５】
屋根は、屋根勾配方向に複数の縦葺き材２が連結されている。本実施形態の屋根は、屋根勾配方向に２つの縦葺き材２が連結されており、この連結された一対の縦葺き材２が軒方向に並べられるように複数取り付けられている。
【００１６】
以下、屋根勾配方向において、水下側の縦葺き材２を第１の縦葺き材２１とし、第１の縦葺き材２１の水上側に配置される縦葺き材２を第２の縦葺き材２２として説明する。
【００１７】
第１の縦葺き材２１は、第２の縦葺き材２２の水下側に取り付けられている。第１の縦葺き材２１は、長さ方向が屋根勾配方向と平行となり、幅方向が軒方向に平行となるよう配置される。第１の縦葺き材２１は、長さ方向に所定の大きさとなるよう形成されている。なお、ここで言う所定の大きさとは、トラックによって運搬が容易な長さ（例えば７ｍ）である。
【００１８】
また、第１の縦葺き材２１の幅方向の両端には、立設片２５が設けられている。立設片２５は、凹部２３の底面から立ち上げられている。立設片２５の上端には、下方に折り返された水返し片２６が設けられている。水返し片２６は、第１の縦葺き材２１の長さ方向の全長に亘って設けられている。
【００１９】
第１の縦葺き材２１の立設片２５は、水上側の端部に切欠部２７を有する。切欠部２７は、第２の縦葺き材２２に重なる箇所に設けられる。
【００２０】
第２の縦葺き材２２の凹部２３の長さ方向は、屋根勾配方向に平行である。第２の縦葺き材２２は、第１の縦葺き材２１と同様、長さ方向が屋根勾配方向と平行となり、幅方向が軒方向に平行となるよう配置される。また、第２の縦葺き材２２の幅方向の両端には、立設片２５が設けられている。また、立設片２５の上端には水返し片２６が設けられている。なお、第２の縦葺き材２２の立設片２５には切欠部２７が設けられていない。
【００２１】
第２の縦葺き材２２の水下側の端部（軒側の端部）は、第１の縦葺き材２１の水上側の端部（軒側の端部）に重なるようにして配置され、これにより第１の縦葺き材２１と第２の縦葺き材２２とが接続される。以下、第１の縦葺き材２１と第２の縦葺き材２２との重ねられた部分を接続部４という。
【００２２】
接続部４において、第１の縦葺き材２１と第２の縦葺き材２２との間には固定板３が介在する。固定板３は、第２の縦葺き材２２の水下側の端部が浮き上がるのを規制する。また、固定板３は、第１の縦葺き材２１の水上側の端部を上から押さえる。固定板３は、第１の縦葺き材２１のいずれかの凸部２４（本実施形態では中央の凸部２４）に対応する箇所に配置される。固定板３は、板本体３１と、下地側固定部３５と、屋根固定部３７とを備えている。
【００２３】
板本体３１は、屋根勾配方向に長さを有し、軒方向に幅を有する金属板によって構成される。この金属板は、例えば、０．８ｍｍ程度である。板本体３１は、屋根下地１（野地板１１）の上面に載せられる下片３３と、第１の縦葺き材２１の上面に載せられる上片３２と、下片３３と上片３２とを繋ぐ連結片３４とを備えている。板本体３１は、プレス等の曲げ加工により一体に形成される。
【００２４】
下地側固定部３５は、板本体３１の水上側の端部に設けられている。下地側固定部３５は、貫通孔により構成される。貫通孔には固着具が挿通される。下地側固定部３５は、貫通孔に通された固着具によって、屋根下地１に固定される。
【００２５】
屋根固定部３７は、板本体３１の水下側の端部に設けられている。屋根固定部３７は、上片３２の水下側の端部を水上側に折り返すことで形成される。屋根固定部３７の水上側の先端には、導入片３８が設けられている。導入片３８は、先端に向かうほど、上方に位置するように傾斜しており、これにより、第２の縦葺き材２２の水下側の端部が屋根固定部３７に差し込みやすくなっている。
【００２６】
また、図３に示すように、第１の縦葺き材２１の幅方向の中央の凸部２４の上面には収容凹所２８が設けられている。収容凹所２８には、固定板３の上片３２が収容される。収容凹所２８の深さは、固定板３の厚さと同じ寸法に形成されている。これにより、収容凹所２８に固定板３の上片３２が嵌め込まれると、図２に示すように、固定板３の上片３２の上面と、凸部２４の上面（収容凹所２８以外の上面）とが同じ高さに位置する。
【００２７】
なお、収容凹所２８の深さは、固定板３の厚さよりも深くてもよい。
【００２８】
本実施形態の縦葺き材２は、例えば、次のようにして設置される。
【００２９】
図３に示すように、施工者は、屋根下地１上の軒側の端部に第１の縦葺き材２１を配置する。次いで、施工者は、第１の縦葺き材２１の水上側の端部に固定板３の上片３２を載せ、この状態で下地側固定部３５を屋根下地１に固定する。
【００３０】
この後、施工者は、図４に示すように、第１の縦葺き材２１の水上側の端部に第２の縦葺き材２２の水下側の端部を重ねるようにして第２の縦葺き材２２を配置する。施工者は、第２の縦葺き材２２の水下側の端部を屋根固定部３７に差し込むように、第２の縦葺き材２２をスライドして配置する。
【００３１】
次いで、施工者は、図５に示すように、屋根勾配方向に連結された第１の縦葺き材２１と第２の縦葺き材２２の軒方向の両側に一対の吊子５を配置する。吊子５は屋根下地１上に複数設けられる。
【００３２】
吊子５は、金属板を断面Ｕ字状に曲げ加工したものである。吊子５は、軒方向において縦葺き材２同士の間に配置される。吊子５は、その長さ方向が屋根勾配方向に平行となるように配置され、屋根下地１上に固着具を介して固定される。
【００３３】
次いで、施工者は、図６に示すように、キャップ部材６を嵌め込む。キャップ部材６は、金属板を下向きＵ字状に曲げ加工したものである。キャップ部材６は、吊子５を上方から覆うようにして設置される。キャップ部材６は、各吊子５に対して設置される。キャップ部材６は、第１の縦葺き材２１および第２の縦葺き材２２の幅方向の両端を吊子５に固定する。
【００３４】
以上、説明したように、本接続構造は、金属製の第１の縦葺き材２１と、金属製の第２の縦葺き材２２と、固定板３とを備える。第２の縦葺き材２２は、第１の縦葺き材２１の水上側端部に上方から重ねて接続される。固定板３は、第１の縦葺き材２１と第２の縦葺き材２２との重ねられた接続部４に介在する。また、固定板３は、屋根下地１に固定される下地側固定部３５と、第２の縦葺き材２２の水下側の端部を固定する屋根固定部３７とを有する。
【００３５】
本接続構造は、屋根下地１に固定された固定板３を用いて、第２の縦葺き材２２の水下側の端部を固定する。このため、本実施形態の金属縦葺き材２の接続構造によれば、第１の縦葺き材２１と第２の縦葺き材２２とをねじやクギによって相互に連結しなくても、第２の縦葺き材２２の水下側の端部の浮き上がりを防ぐことができる。この結果、ねじ等で縦葺き材２に孔をあける必要がないため、止水性の低下を防ぐことができる。
【００３６】
特に、本実施形態の縦葺き材２の幅方向の両端は吊子５によって固定されているため、固定板３によって、縦葺き材２の幅方向の中央を押さえるだけで、第２の縦葺き材２２の水下側の端部の浮き上がりを効果的に防ぐことができる。
【００３７】
また、本実施形態の固定板３は、第１の縦葺き材２１の水上側の端部を上から押さえている。
【００３８】
このため、本接続構造によれば、第２の縦葺き材２２の水下側の端部の浮き上がりだけでなく、第１の縦葺き材２１の水上側の端部が浮き上がるのも防ぐことができる。
【００３９】
また、本実施形態の第１の縦葺き材２１および第２の縦葺き材２２は、左右方向に凹部２３と凸部２４とが繰り返し形成された凹凸屋根材２０である。固定板３は凸部２４に対応する箇所に配置されている。凸部２４の上面には、固定板３を収容する収容凹所２８が設けられている。
【００４０】
このため、本接続構造によれば、第１の縦葺き材２１と第２の縦葺き材２２との間に固定板３が介在しても、第１の縦葺き材２１と第２の縦葺き材２２との間が開いてしまうのを抑制することができる。つまり、第１の縦葺き材２１と第２の縦葺き材２２との間に隙間が形成されるのを防止できる。この結果、屋根面に沿って吹き上げる風雨によって、第１の縦葺き材２１と第２の縦葺き材２２との間から雨水が浸入するのを防止できる。
【００４１】
また、本接続構造は、固定板３が凹部２３ではなく凸部２４に設けられているため、凹部２３を流下する雨水の流れを阻害せず、排水性の低下を抑制できる。
【００４２】
以上のように、本接続構造によれば、高い止水性を確保しながら、第１の縦葺き材２１と第２の縦葺き材２２とを屋根勾配方向に連結することができる。従って、本接続構造によれば、第１の縦葺き材２１および第２の縦葺き材２２を、トラック等により運搬可能な大きさとすることができ、運搬性や施工性を向上させることができる。
【００４３】
なお、実施形態の屋根は、片流れ屋根であったが、切妻屋根や寄棟屋根であってもよく、特に限定されない。また、本実施形態の縦葺き材２は、凹凸屋根材２０であったが、折板屋根材や縦平屋根材等の縦葺き屋根材であってもよく、この点限定されない。
【００４４】
また、本実施形態の固定板３は、縦葺き材２の幅方向の中央に設置されていたが、本発明においては、例えば、縦葺き材の幅方向の全長に亙っていてもよく、この点限定されない。
【符号の説明】
【００４５】
１      屋根下地
１１    野地板
２      縦葺き材
２０    凹凸屋根材
２１    第１の縦葺き材
２２    第２の縦葺き材
２３    凹部
２４    凸部
２５    立設片
２６    水返し片
２７    切欠部
２８    収容凹所
３      固定板
３１    板本体
３２    上片
３３    下片
３４    連結片
３５    下地側固定部
３７    屋根固定部
３８    導入片
４      接続部
５      吊子
６      キャップ部材
【図１】
2015214865.tif 000003
【図２】
2015214865.tif 000004
【図３】
2015214865.tif 000005
【図４】
2015214865.tif 000006
【図５】
2015214865.tif 000007
【図６】
2015214865.tif 000008